(57)【要約】【課題】  原稿上の修正痕を、原稿画像上の修正域として検出する画像処理装置において、短時間で、原稿画像内の修正域を検出する。【解決手段】  地肌特定部１１は、原稿画像データ２１による原稿画像の地肌部分の明度を特定する。修正域特定部１２は、原稿画像を構成する画素のうち、所定のパターンで点在する画素の明度が地肌部分より明度が高いか否かを判定し、所定のパターンで点在する画素のうち、その明度が地肌部分より明度が高い画素の位置に基づいて修正域を特定する。【選択図】  図１
2011097201.tif 000002
【特許請求の範囲】
【請求項１】
原稿上の修正痕を、原稿画像上の修正域として検出する画像処理装置において、
原稿画像データによる原稿画像の地肌部分の明度を特定する地肌特定部と、
前記原稿画像を構成する画素のうち、所定のパターンで点在する画素の明度が前記地肌部分より明度が高いか否かを判定し、前記所定のパターンで点在する画素のうち、その明度が前記地肌部分より明度が高い画素の位置に基づいて修正域を特定する修正域特定部と、
を備えることを特徴とする画像処理装置。
【請求項２】
前記修正域特定部は、前記原稿画像を所定の画素数の分割領域に分割し、各分割領域における所定の位置の代表画素のみについて、前記代表画素の明度が前記地肌部分より明度が高いか否かを判定し、前記代表画素の明度が前記地肌部分より明度が高い前記分割領域を修正域と特定することを特徴とする請求項１記載の画像処理装置。
【請求項３】
前記分割領域は、四角形であり、
前記代表画素は、前記分割領域の４隅の４画素のうちの少なくとも１つであること、
を特徴とする請求項２記載の画像処理装置。
【請求項４】
前記修正域の存在を示すために前記原稿画像に対して画像処理を行う強調処理部をさらに備えることを特徴とする請求項１から請求項３のうちのいずれか１項記載の画像処理装置。
【請求項５】
前記強調処理部は、前記修正域特定部により特定された修正域の色を変更する色変換部を備えることを特徴とする請求項４記載の画像処理装置。
【請求項６】
前記強調処理部は、前記修正域特定部により少なくとも１つの修正域が特定された場合に、修正域の存在を示す地紋を前記原稿画像に施す地紋処理を行う地紋処理部を備えることを特徴とする請求項４または請求項５項記載の画像処理装置。
【発明の詳細な説明】
【技術分野】
【０００１】
本発明は、画像処理装置に関するものである。
【背景技術】
【０００２】
原稿をスキャナなどで読み取った場合、修正テープ、修正液などによる修正痕が原稿にあっても、修正痕の色と原稿紙の色が近似しているため、読み取られた原稿画像を表示や印刷などしても、修正痕の有無を視覚上判定しずらい。
【０００３】
そのため、１画素ずつ、隣接する画素との色差を計算し、その色差に基づいて、原稿紙の色と異なる色の領域を抽出し、その領域のうち、階調レベルの高い領域を、修正痕の画像領域（以下、修正域という）として検出し、その画像データを視覚的に識別可能に加工する技術がある（例えば特許文献１参照）。
【先行技術文献】
【特許文献】
【０００４】
【特許文献１】特開２００７−２０７１８４号公報
【発明の概要】
【発明が解決しようとする課題】
【０００５】
しかしながら、上述の方法で修正域を検出する場合、画像データを１画素ずつ調べていくため、修正域の検出に時間がかかるという問題がある。
【０００６】
本発明は、上記の問題に鑑みてなされたものであり、短時間で、原稿画像内の修正域を検出することができる画像処理装置を得ることを目的とする。
【課題を解決するための手段】
【０００７】
上記の課題を解決するために、本発明では以下のようにした。
【０００８】
本発明に係る画像処理装置は、原稿画像データによる原稿画像の地肌部分の明度を特定する地肌特定部と、その原稿画像を構成する画素のうち、所定のパターンで点在する画素の明度が地肌部分より明度が高いか否かを判定し、所定のパターンで点在する画素のうち、その明度が地肌部分より明度が高い画素の位置に基づいて修正域を特定する修正域特定部とを備える。
【０００９】
これにより、原稿画像において点在する一部の画素のみから修正域を特定するため、短時間で、原稿画像内の修正域を検出することができる。
【００１０】
また、本発明に係る画像処理装置は、上記の画像処理装置に加え、次のようにしてもよい。この場合、修正域特定部は、原稿画像を所定の画素数の分割領域に分割し、各分割領域における所定の位置の代表画素のみについて、代表画素の明度が地肌部分より明度が高いか否かを判定し、代表画素の明度が地肌部分より明度が高い分割領域を修正域と特定する。
【００１１】
これにより、代表画素が規則的に配列されるため、簡単な演算により代表画素を短時間で参照でき、より短時間で原稿画像内の修正域を検出することができる。
【００１２】
また、本発明に係る画像処理装置は、上記の画像処理装置のいずれかに加え、次のようにしてもよい。この場合、上述の分割領域は、四角形であり、代表画素は、分割領域の４隅の４画素のうちの少なくとも１つである。
【００１３】
また、本発明に係る画像処理装置は、上記の画像処理装置のいずれかに加え、次のようにしてもよい。この場合、画像処理装置は、修正域の存在を示すために原稿画像に対して画像処理を行う強調処理部をさらに備える。
【００１４】
これにより、表示や印刷など、原稿画像が出力されたとき、原稿画像内の修正域が視覚上認識しやすくなる。
【００１５】
また、本発明に係る画像処理装置は、上記の画像処理装置のいずれかに加え、次のようにしてもよい。この場合、強調処理部は、修正域特定部により特定された修正域の色を変更する色変換部を備える。
【００１６】
また、本発明に係る画像処理装置は、上記の画像処理装置のいずれかに加え、次のようにしてもよい。この場合、強調処理部は、修正域特定部により少なくとも１つの修正域が特定された場合に、修正域の存在を示す地紋を原稿画像に施す地紋処理を行う地紋処理部を備える。
【発明の効果】
【００１７】
本発明によれば、短時間で、原稿画像内の修正域を検出することができる。
【図面の簡単な説明】
【００１８】
【図１】図１は、本発明の実施の形態に係る画像処理装置の構成を示すブロック図である。
【図２】図２は、図１に示す画像処理装置の動作を説明するフローチャートである。
【図３】図３は、図１に示す画像処理装置による修正域の検索を説明する図である。
【図４】図４は、図１に示す画像処理装置により検出された修正域の一例を示す図である。
【発明を実施するための形態】
【００１９】
以下、図に基づいて本発明の実施の形態を説明する。
【００２０】
図１は、本発明の実施の形態に係る画像処理装置の構成を示すブロック図である。
【００２１】
図１に示す画像処理装置は、コピー機、スキャナ機、複合機などといった画像形成装置に内蔵され、例えばスキャナ機能により読み取られた原稿画像データに基づいて、原稿上の修正痕を、原稿画像上の修正域として検出する。
【００２２】
図１に示す画像処理装置は、演算処理装置１、並びに演算処理装置１に接続された記憶装置２およびユーザインタフェース３を有する。
【００２３】
演算処理装置１は、ＣＰＵ（Central Processing Unit）、ＲＡＭ（Random Access Memory）、ＲＯＭ（Read Only Memory）などを含むコンピュータを有し、ＲＯＭ、記憶装置２などの記録媒体に記憶されている所定のプログラムをＲＡＭにロードし、ＣＰＵで実行することにより、各種処理部を実現する装置である。この演算処理装置１では、地肌特定部１１、修正域特定部１２および強調処理部１３が実現される。
【００２４】
地肌特定部１１は、原稿画像データ２１による原稿画像の地肌部分の明度を特定する処理部である。
【００２５】
修正域特定部１２は、その原稿画像を構成する画素のうち、所定のパターンで点在する画素の明度が地肌部分より明度が高いか否かを判定し、所定のパターンで点在する画素のうち、その明度が地肌部分より明度が高い画素の位置に基づいて修正域を特定する処理部である。
【００２６】
この実施の形態では、修正域特定部１２は、原稿画像を所定の画素数（複数）の分割領域に分割し、各分割領域における所定の位置の代表画素のみについて、代表画素の明度が地肌部分より明度が高いか否かを判定し、代表画素（複数の代表画素の場合、少なくとも１つの代表画素）の明度が地肌部分より明度が高い分割領域を修正域と特定する。また、この実施の形態では、上述の分割領域は、四角形であり、代表画素は、分割領域の４隅の４画素である。
【００２７】
強調処理部１３は、修正域特定部１２により特定された修正域の存在を示すために原稿画像に対して画像処理を行う処理部である。
【００２８】
この実施の形態では、強調処理部１３は、色変換部１３ａおよび地紋処理部１３ｂを備える。色変換部１３ａは、修正域特定部１２により特定された修正域の色を変更する。また、地紋処理部１３ｂは、原稿画像において、修正域特定部１２により少なくとも１つの修正域が特定された場合に、修正域の存在を示す地紋を原稿画像に施す。
【００２９】
記憶装置２は、各種データを記憶する装置である。記憶装置２としては、半導体メモリ、ハードディスクドライブなどが使用される。記憶装置２には、原稿画像データ２１および設定データ２２が記憶されている。原稿画像データ２１は、原稿をスキャナ機能で読み取ることで得られた画像データである。設定データ２２は、後述の修正域の検出および強調を行うか否かの設定を含むデータである。
【００３０】
ユーザインタフェース３は、液晶ディスプレイなどといった表示装置と、タッチパネル、キースイッチなどといった入力装置とを備え、ユーザに対して各種情報を呈示するとともに、ユーザ操作を受け付ける装置である。
【００３１】
次に、上記装置の動作について説明する。図２は、図１に示す画像処理装置の動作を説明するフローチャートである。
【００３２】
まず、地肌特定部１１が、原稿画像データ２１を読み込み（ステップＳ１）、原稿画像における原稿紙の明度（つまり、地肌部分の明度）を特定する（ステップＳ２）。このとき、地肌特定部１１は、例えば、原稿画像データ２１において、文字や画像の存在しない領域で地肌部分の明度を特定する。
【００３３】
次に、修正域特定部１２は、原稿画像データ２１において修正域を検索する（ステップＳ３）。図３は、図１に示す画像処理装置による修正域の検索を説明する図である。
【００３４】
修正域特定部１２は、図３に示すように、原稿画像を縦横所定の画素数（ここでは、縦（副走査方向）４画素、横（主走査方向）６画素）の分割領域に分割し、各分割領域における所定の位置の代表画素のみについて、代表画素の明度が地肌部分より明度が高いか否かを判定する。そして、修正域特定部１２は、少なくとも１つの代表画素の明度が地肌部分より明度が高い分割領域を、修正域と特定する。図４は、図１に示す画像処理装置により検出された修正域の一例を示す図である。
【００３５】
そして、修正域特定部１２による修正域の検索が完了すると、強調処理部１３は、少なくとも１つの修正域が検出された場合には、まず、設定データ２２を読み込み（ステップＳ５）、強調画像処理を行うか否かを判定する（ステップＳ６）。
【００３６】
この実施の形態では、強調画像処理として、（１）検出された修正域の色変換処理と、（２）修正域が検出されたことを示す地紋処理とが実行可能である。このため、設定データ２２には、予め、強調画像処理としてこの色変換処理を行うか否かを示す設定情報、および強調画像処理としてこの地紋処理を行うか否かを示す設定情報が含められている。ここでは、設定データ２２に基づいて、実行すべき強調画像処理が特定されるが、ユーザインタフェース３を使用して、実行すべき強調画像処理が特定されるようにしてもよい。
【００３７】
強調処理部１３は、強調画像処理を行うと判定した場合、設定データ２２により指定された強調画像処理を、原稿画像データ２１に対して行う（ステップＳ７）。色変換処理を行う場合、強調処理部１３は、検出された修正域のうち、地肌部分より明度が高い部分の色（つまり画素値）を、視覚上識別しやすい強調色（例えば、赤色）に変換する。ただし、強調処理部１３は、検出された修正域のうち、地肌部分より明度が低い部分を、修正域内の文字であると判定し、上述の強調色を、その文字の色以外の色とするとともに、修正域の文字の色を変更せずにそのままとする。
【００３８】
一方、修正域の検索で修正域が１つも検出されなかった場合（ステップＳ４）、およびいずれの強調画像処理も行わないと判定した場合（ステップＳ６）には、強調処理部１３は、上述の強調画像処理を行わない。
【００３９】
その後、原稿画像データ２１に基づいて原稿画像が出力される（ステップＳ８）。このとき、例えば、原稿画像が、表示装置で表示されたり、印刷装置で印刷されたりする。なお、出力前に修正域が検出され強調画像処理が実行されている場合には、強調画像処理が施された原稿画像データ２１に基づく原稿画像が出力される。
【００４０】
以上のように、上記実施の形態によれば、地肌特定部１１は、原稿画像データ２１による原稿画像の地肌部分の明度を特定し、修正域特定部１２は、その原稿画像を構成する画素のうち、所定のパターンで点在する画素の明度が地肌部分より明度が高いか否かを判定し、所定のパターンで点在する画素のうち、その明度が地肌部分より明度が高い画素に位置に基づいて修正域を特定する。
【００４１】
これにより、原稿画像において点在する一部の画素のみから修正域を特定するため、短時間で、原稿画像内の修正域を検出することができる。
【００４２】
また、上記実施の形態によれば、修正域特定部１２は、原稿画像を分割領域に分割し、各分割領域における所定の位置の代表画素のみについて、代表画素の明度が地肌部分より明度が高いか否かを判定し、代表画素の明度が地肌部分より明度が高い分割領域を修正域と特定する。
【００４３】
これにより、代表画素が規則的に配列されるため、簡単な演算により代表画素を短時間で参照でき、より短時間で原稿画像内の修正域を検出することができる。
【００４４】
なお、上述の実施の形態は、本発明の好適な例であるが、本発明は、これらに限定されるものではなく、本発明の要旨を逸脱しない範囲において、種々の変形、変更が可能である。
【００４５】
例えば、上記実施の形態では、明度を調べる画素のパターンは、原稿画像に配列された分割領域の４隅の画素の配列となっているが、他のパターンでもよい。
【００４６】
また、上記実施の形態では、代表画素が、分割領域の４隅の４画素となっているが、これらの４画素のうちの所定の位置の１画素、２画素、または３画素としてもよい。
【００４７】
また、上記実施の形態では、分割領域は、縦４画素、横６画素の領域であるが、分割領域の縦および／または横の画素数は、別の数でもよい（ただし、縦および横それぞれ３画素以上が好ましい）。
【産業上の利用可能性】
【００４８】
本発明は、例えば、スキャナ機、コピー機、複合機などに適用可能である。
【符号の説明】
【００４９】
１１  地肌特定部
１２  修正域特定部
２１  原稿画像データ
１３  強調処理部
１３ａ  色変換部
１３ｂ  地紋処理部
【図１】
2011097201.tif 000003
【図２】
2011097201.tif 000004
【図３】
2011097201.tif 000005
【図４】
2011097201.tif 000006